(57)【要約】【課題】光学性能を向上させたレンズ鏡筒を提供する。【解決手段】レンズ鏡筒は、固定筒（固定筒１）と、レンズ（１群レンズＬ１）を保持するレンズ保持枠（１群鏡筒４）と、レンズ保持枠を保持して直進移動可能な直進筒（直進筒３）と、固定筒に固定され、かつ直進筒を支持する支持筒（調整筒２０）とを有する。【選択図】図１
2016130763.tif 000002
【特許請求の範囲】
【請求項１】
固定筒と、
レンズを保持するレンズ保持枠と、
前記レンズ保持枠を保持して直進移動可能な直進筒と、
前記固定筒に固定され、かつ前記直進筒を支持する支持筒と、を有することを特徴とするレンズ鏡筒。
【請求項２】
前記直進筒は、前記固定筒に嵌合する第１の嵌合部と、前記支持筒に嵌合する第２の嵌合部と、を有することを特徴とする請求項１に記載のレンズ鏡筒。
【請求項３】
前記第２の嵌合部は、前記固定筒の物体側先端よりも物体側に位置していることを特徴とする請求項２に記載のレンズ鏡筒。
【請求項４】
前記直進筒は、ズーミングまたはフォーカシングの際に直進移動し、
前記ズーミングまたは前記フォーカシングの際に、前記第１の嵌合部と前記第２の嵌合部との間の距離は一定であることを特徴とする請求項２または３に記載のレンズ鏡筒。
【請求項５】
前記固定筒は、前記直進筒と径嵌合して該直進筒を直進移動可能に支持する第１の摺動面を有し、
前記支持筒は、前記直進筒と径嵌合して該直進筒を直進移動可能に支持する第２の摺動面を有し、
前記直進筒の前記第１の嵌合部は、前記固定筒の前記第１の摺動面に嵌合し、
前記直進筒の前記第２の嵌合部は、前記支持筒の前記第２の摺動面に嵌合していることを特徴とする請求項２乃至４のいずれか１項に記載のレンズ鏡筒。
【請求項６】
前記固定筒は、第１の当接面を有し、
前記支持筒は、第２の当接面を有し、
前記支持筒は、前記第１の当接面と前記第２の当接面とを当接して、ビスを用いて前記固定筒に固定されていることを特徴とする請求項１乃至５のいずれか１項に記載のレンズ鏡筒。
【請求項７】
前記支持筒を前記固定筒に取り付ける際に、前記第１の当接面と前記第２の当接面とを摺動させて前記固定筒に対して前記支持筒を移動させることにより、前記固定筒に対する前記直進筒の傾きを変更可能であることを特徴とする請求項６に記載のレンズ鏡筒。
【請求項８】
前記レンズ保持枠により保持される前記レンズは、最も物体側に位置するレンズ群であることを特徴とする請求項１乃至７のいずれか１項に記載のレンズ鏡筒。
【請求項９】
前記支持筒の内径は、前記レンズの最外径よりも大きく、
前記直進筒は、前記支持筒の内面において支持されていることを特徴とする請求項１乃至８のいずれか１項に記載のレンズ鏡筒。
【請求項１０】
請求項１乃至９のいずれか１項に記載のレンズ鏡筒を有することを特徴とする光学機器。
【請求項１１】
請求項１乃至９のいずれか１項に記載のレンズ鏡筒と、
前記レンズ鏡筒の光学系を介して形成される光学像を光電変換して画像データを出力する撮像素子と、を有することを特徴とする撮像装置。
【発明の詳細な説明】
【技術分野】
【０００１】
本発明は、光学機器に用いられるレンズ鏡筒に関する。
【背景技術】
【０００２】
デジタルカメラやビデオカメラなどの光学機器に用いられるレンズ鏡筒は、ズーミングやフォーカシングのために光学系の一部のレンズ群を移動させる機構を有する。レンズ群の重量が大きい場合やレンズ群の移動量が大きい場合、その機構を構成する部分のガタつきにより、移動群が傾く可能性がある。レンズ鏡筒の小型化やズームの高倍化などに応じて要求される高い光学性能（精度）を満たすには、移動群の倒れを防止する必要がある。
【０００３】
特許文献１には、１群鏡筒と固定筒との径嵌合部を有し、１群鏡筒に取り付けられた嵌合長の長い３つの直進キーを、固定筒に形成された直進溝に嵌合させることにより、直進移動可能な１群鏡筒の倒れを低減するレンズ鏡筒が開示されている。
【先行技術文献】
【特許文献】
【０００４】
【特許文献１】特開平６−４３３５１号公報
【発明の概要】
【発明が解決しようとする課題】
【０００５】
特許文献１の構成では、直進筒と固定筒との嵌合、および、直進キーと直進溝との嵌合により、１群鏡筒（移動筒）の倒れを低減することができる。しかしながら、１群鏡筒の倒れの程度は、直進筒と固定筒との径嵌合部の嵌合している長さ（嵌合長）に依存する。すなわち、大きく繰り出すテレ側では嵌合長が短くなるため、１群鏡筒が倒れやすくなる。ここで直進キーの長さを長くすると、１群鏡筒は倒れにくくなるが、その長さには限界がある。そして１群鏡筒が倒れると、レンズ鏡筒の光学性能は低下する可能性がある。
【０００６】
そこで本発明は、光学性能を向上させたレンズ鏡筒、光学機器、および、撮像装置を提供することを目的とする。
【課題を解決するための手段】
【０００７】
本発明の一側面としてのレンズ鏡筒は、固定筒と、レンズを保持するレンズ保持枠と、前記レンズ保持枠を保持して直進移動可能な直進筒と、前記固定筒に固定され、かつ前記直進筒を支持する支持筒とを有する。
【０００８】
本発明の他の側面としての光学機器は、前記レンズ鏡筒を有する。
【０００９】
本発明の他の側面としての撮像装置は、前記レンズ鏡筒と、前記レンズ鏡筒の光学系を介して形成される光学像を光電変換して画像データを出力する撮像素子とを有する。
【００１０】
本発明の他の目的及び特徴は、以下の実施形態において説明される。
【発明の効果】
【００１１】
本発明によれば、光学性能を向上させたレンズ鏡筒、光学機器、および、撮像装置を提供することができる。
【図面の簡単な説明】
【００１２】
【図１】本実施形態におけるレンズ鏡筒の断面図である（ワイド状態）。
【図２】本実施形態におけるレンズ鏡筒の断面図である（テレ状態）。
【図３】本実施形態におけるレンズ鏡筒の断面図（図１とは異なる断面で切断した断面図）である。
【図４】本実施形態におけるレンズ鏡筒の直進筒の断面図である。
【図５】本実施形態におけるレンズ鏡筒の外観図である。
【図６】本実施形態におけるレンズ鏡筒の各レンズ群のズーミングの際の移動軌跡を示す線図である。
【図７】本実施形態におけるレンズ鏡筒の分解斜視図である。
【図８】本実施形態におけるレンズ鏡筒の１群鏡筒を直進筒に取り付けた状態を示す側面図である。
【図９】本実施形態における樹脂コロの断面図である。
【図１０】本実施形態における金属コロの断面図である。
【図１１】本実施形態における金属コロの組込み状態の説明図（側面図）である。
【図１２】本実施形態における調整筒の拡大斜視図である。
【図１３】本実施形態における固定筒および直進筒の拡大断面図である。
【図１４】本実施形態における固定筒と調整筒との固定方法を示す断面図である。
【図１５】本実施形態における固定筒と調整筒との固定方法を示す断面図である。
【図１６】本実施形態における光学機器（撮像装置）の構成図である。
【発明を実施するための形態】
【００１３】
以下、本発明の実施形態について、図面を参照しながら詳細に説明する。
【００１４】
まず、図１乃至図５を参照して、本実施形態におけるレンズ鏡筒（ズームレンズ鏡筒）の構成について説明する。図１および図２は、本実施形態におけるレンズ鏡筒１００の断面図であり、図１はワイド状態、図２はテレ状態をそれぞれ示している。図３は、図１に示される断面図とは異なる面で切断したレンズ鏡筒１００の断面図である。図４は、レンズ鏡筒１００における直進筒３の断面図である。図５は、レンズ鏡筒１００の外観図である。
【００１５】
１は固定筒である。固定筒１の後端１ａは、カメラ本体（撮像装置本体）と結合するためのマウント部材１０１や外装部材１０２（図５参照）を固定するために用いられる。２は、ズームリング１０４に連動して回転し、ズーミングを行うためのカム環である。カム環２の外周は固定筒１に嵌合し、カム環２は定位置回転可能に保持されている。３は直進筒である。直進筒３は、その先端において、１群鏡筒４を、コロ４ａを用いて保持している。１群鏡筒４には、１群レンズＬ１が押さえ環４ｂにより固定されている。
【００１６】
直進筒３は、像面側の内周に嵌合面３ｃを有し、固定筒１の外周の摺動面１ｂに移動自在に嵌合している。また直進筒３は、その周方向に設けられた３つのキー部材１２をビス１２ａで保持し、固定筒１の外周に形成された直進溝１ｃに係合することにより、光軸ＯＡの方向（光軸）方向に直進移動自在に保持されている。直進筒３の内周には、有底の１群カム３ａが設けられており、カム環２の先端外周にビス２ｂで固定されたコロ２ａが係合している（図３、図７参照）。このような構成においてカム環２が回転することにより、直進筒３は、１群カム３ａの軌跡に従ってＵターンするように直進移動を行う。１群鏡筒４は、コロ４ａが直進筒３のリフトを持ったカム溝３ｂにより光軸方向に位置調整されて固定されており、直進筒３と一体的に移動する。
【００１７】
５は、２群レンズＬ２を保持する２群鏡筒である。６は、３群レンズＬ３を保持する３群鏡筒である。７は３群ベース鏡筒であり、３群鏡筒６を複数のコロ６ａにより保持している。複数のコロ６ａはそれぞれ、３群ベース鏡筒７に対して、３群鏡筒６の偏心調整および倒れ調整を行って固定する。これに関しては、周知の技術であるため、詳細な説明は省略する。
【００１８】
３群ベース鏡筒７の外周には、コロ７ａが３か所等分で設けられている。コロ７ａは、固定筒１の直進溝１ｄとカム環２の３群カム２ｃとに係合している。このため、カム環２を回転することにより、３群鏡筒６は、３群ベース鏡筒７と一体的に光軸方向へ直進移動する。また３群ベース鏡筒７の外周には、フォーカスカム環８が回転自在に嵌合している。フォーカスカム環８は、３群ベース鏡筒７の前端に不図示のビスで固定された押さえ板９により、３群ベース鏡筒７に対して、定位置回転のみ自在に保持されている。フォーカスカム環８には、フォーカスカム溝８ａが３か所等分で設けられている。３つのフォーカスカム溝８ａには、それぞれ、２群鏡筒５に設けられた３つのコロ５ａが係合している。コロ５ａは、３群ベース鏡筒７に形成された直進溝７ｂにも係合しており、２群鏡筒５は、フォーカスカム環８の回転により、光軸方向に直進駆動される。２群鏡筒５が単独で光軸方向に移動することにより、フォーカス調整が行われる。
【００１９】
１０は回転リングである。回転リング１０は、径嵌合部１０ａが固定筒１の内周に嵌合し、バヨネット部１０ｂが固定筒１のバヨネット溝１ｅに係合することにより、定位置回転自在に保持されている。回転リング１０には、フォーカスキー１１がビスを用いて取り付けられている。フォーカスキー１１の内周には直進溝１１ｂが形成されており、直進溝１１ｂはフォーカスカム環８に取り付けられたコロ８ｂに係合している。このような構成において回転リング１０を回転させると、フォーカスカム環８が回転リング１０と同じ角度だけ回転する。回転リング１０は、フォーカスモータ（不図示）またはマニュアルフォーカスリング１０３（図５参照）の駆動力が伝達されることにより回転し、フォーカス調整を行うことができる。
【００２０】
１４は電磁絞りユニットである。電磁絞りユニット１４は、３群ベース鏡筒７の内周に保持され、押さえ板９を用いてその前後を挟持して保持されている。電磁絞りユニット１４における絞り羽根の駆動部は公知の技術であり、図示しない駆動回路とフレキシブルプリント基板で電気的に接続されて構成されている。
【００２１】
図６は、ズーミングの際におけるレンズ鏡筒１００の各レンズ群（１群レンズＬ１、２群レンズＬ２、３群レンズＬ３）の移動軌跡を示す線図である。ワイド側（ＷＩＤＥ）からテレ側（ＴＥＬＥ）へのズーミングにおいて、各レンズ群（１群レンズＬ１、２群レンズＬ２、３群レンズＬ３）は、図６に示されるように移動する。図６において、左側が物体側、右側が像面側である。２群レンズＬ２は、ズーミングおよびフォーカシングの際に移動するレンズ群であり、ズーミングの際には３群レンズＬ３と一体的に移動する。図６において、２群レンズＬ２の無限遠での移動軌跡を実線で示し、２群レンズＬ２の最至近での移動軌跡を破線でそれぞれ示されている。なお、各ズームポジションで無限遠から最至近までに移動する量は同じである。
【００２２】
ここで、図７乃至図１１を参照して、１群鏡筒４の構造（保持構造）について説明する。図７は、レンズ鏡筒１００の分解斜視図であり、１群鏡筒４の保持構造を示している。図８は、レンズ鏡筒１００の１群鏡筒４を直進筒３に取り付けた状態を示す側面図である。図９および図１０は、それぞれ、コロ４ａ（樹脂コロ）およびコロ４ｄ（金属コロ）の中心軸で切断した断面図である。図１１は、コロ４ｄの組込み状態の説明図（側面図）である。
【００２３】
図９および図１０に示されるように、コロ４ａ（樹脂コロ）は金属製の芯部材４ａ１（金属部材）の周囲に樹脂部材４ａ２を被せた構造を有し、芯部材４ａ１および樹脂部材４ａ２は一体化している。ビス４ｃを用いて芯部材４ａ１を強固にビス締めし、直進筒３のカム溝３ｂには樹脂部材４ａ２が係合している。樹脂部材４ａ２の径は、カム溝３ｂの溝幅に対して僅かに大きく、軽く圧入して組み込む。調整の際に、１群鏡筒４をガタつきなく自由に回転可能な程度の圧入になるように寸法が設定されている。
【００２４】
直進筒３の外周には、カム溝３ｂが６か所に等分に設けられており、そのうちの３か所に、コロ４ａが組み込まれている。残りの３か所には、金属材料からなるコロ４ｄ（金属コロ）が組込まれ、コロ４ａの場合と同様に、ビス４ｃで固定されている。コロ４ｄは、図１１に示されるように、円筒部を平行に削除した平面部４ｅを有する小判型形状である。平面部４ｅの幅Ｄ１は、カム溝３ｂの幅Ｄ２よりも小さくなるように設定されており、部品公差がばらついた場合でも僅かな隙間ができる寸法に設定されている。外部から衝撃が加わった場合、コロ４ａが塑性変形する前にコロ４ｄの平面部４ｅがカム溝３ｂに当接することにより、コロ４ａの破損が防止される。
【００２５】
図７および図８において、１３は回り止めである。回り止め１３は、直進筒３の周溝３ｆにおいてビス１３ａで固定されている。回り止め１３の円筒部１３ｂは、１群鏡筒４の溝４ｆに嵌合している。調整の際にはビス１３ａを緩めておき、１群鏡筒４を光軸周りに回転させることにより、カム溝３ｂのリフトに従って、１群鏡筒４は光軸方向に回転繰出しする。調整後にビス１３ａを締め付けることにより、１群鏡筒４が回転しないように固定することができる。
【００２６】
次に、本実施形態における直進筒３の構造（保持構造）について説明する。図１乃至図３において、２０は調整筒（支持筒）である。調整筒２０は、像面側の端において固定面２０ａを有する。調整筒２０は、固定面２０ａにおいて、固定筒１に設けられた当接面１ｆに、ビス２０ｂ、２０ｃにより固定される。調整筒２０は、その内周において、摺動面２０ｄを有する。調整筒２０の摺動面２０ｄは、直進筒３の先端外径に設けられた嵌合面３ｄに嵌合している。直進筒３は、その像面側において、嵌合面３ｃが固定筒１の嵌合面１ｂに嵌合している。また直進筒３は、その物体側において、嵌合面３ｄが調整筒２０の摺動面２０ｄに嵌合している。嵌合面３ｃ、３ｄにより、作動に問題ない程度のガタに抑えられる。このように、直進筒３は、前後の嵌合面３ｃ、３ｄにおいて固定筒１または調整筒２０に支持されることにより、嵌合面３ｃ、３ｄの２点間の距離（嵌合長）を大きく設定することができ、直進筒３の傾き（光軸方向からの変位）を低減することが可能となる。
【００２７】
本実施形態において、直進筒３は、固定筒１に対して偏心（変位）させることが可能に構成されている。また、直進筒３の物体側における嵌合面３ｄを偏心させることにより、直進筒３と共に１群鏡筒４の傾き調整を行うことが可能である。
【００２８】
ここで、図１２乃至図１５を参照して、直進筒３および１群鏡筒４の傾き調整について説明する。図１２は、調整筒２０の拡大斜視図である。図１３は、固定筒１および直進筒３の拡大断面図である。図１４および図１５は、固定筒１と調整筒２０との固定方法を示す断面図（図１４は、図１３中の一点鎖線で示される円Ａの領域に対応）である。
【００２９】
まず、直進筒３を組込後に調整筒２０を組む際、まず座金２０ｅおよびばねワッシャ２０ｆと共に、ビス２０ｃで仮固定を行う。このとき、調整筒２０が固定面２０ａに沿って移動可能なように、仮締め状態にしておく。その際、調整筒２０は、バネワッシャ２０ｆの付勢力により、常に固定面２０ａと固定筒の当接面１ｆとが接触している。
【００３０】
続いて、調整筒２０を外径側からマイクロメータなどで押して偏心させ、直進筒３の倒れを調整した後、ビス２０ｃにより本締めを行い、さらにビス２０ｂで固定する。倒れ調整の際には、固定筒１の基準面１ａと、直進筒３の基準面３ｅとが互いに平行になるように、ミラーなどで調整することが好ましい。ビス２０ｂ、２０ｃとビス穴との間には、直進筒３の偏心調整を可能とするための隙間２０ｊが形成されている。また、固定筒１と調整筒２０との間にも、調整可能とするための隙間２０ｋが確保されている。これらの隙間の量は、部品公差のばらつきによって直進筒３が倒れるのを補正可能な程度の量であればよい。
【００３１】
ビス２０ｂを締め付けた後、直進筒３の倒れを再度確認し、直進筒３の倒れの程度が規格内（所定の範囲内）に収まっている場合、ビス２０ｂの頭部と座繰りの隙間２０ｈを埋めるように接着剤を塗布して硬化させる。接着剤としては、作業時間の短いＵＶ接着剤を用いることが好ましい。
【００３２】
図３のレンズ鏡筒１００は、フード３０を取り付けた状態を示している。フード３０は樹脂材料からなり、外部から衝撃が加わった場合に弾性変形することにより、レンズ鏡筒１００の内部に加わる衝撃を低減することができる。フード３０は、像面側から調整筒２０に被せるように組込み、端のフランジ部３０ａを金属製の押さえリング３１で挟み込むようにして固定される。押さえリング３１は、ビス３１ａにより外径側から調整筒２０にビス締めされ固定されている。フード３０を直接ビス締めすると、外部からの衝撃が大きい場合、特にレンズ鏡筒１００を下向きで落下させた場合、フード３０にレンズ鏡筒１００の全体の重量がかかるため、ビス穴に破損が生じる可能性がある。そこで、フランジ部３０ａの全周で外力を受け、フード３０の破損を防止しつつ、レンズ鏡筒１００の内部の光学系に衝撃が伝わりにくい構造を有する。
【００３３】
次に、図１３を参照して、直進筒３の倒れを低減するための構造について説明する。直進筒３は、嵌合面３ｃ（像面側の嵌合面）と嵌合面３ｄ（物体側の嵌合面）において、固定筒１および調整筒２０によりそれぞれ支持されている。このため、嵌合面３ｃ、３ｄ間の距離Ｓ１とガタ量に応じて、直進筒３の倒れの量が決定する。ガタ量は、部品加工精度や温度による寸法変化に応じて決定されるため、所定の量よりも小さくすることは困難である。このため、嵌合面３ｃ、３ｄ間の距離Ｓ１（嵌合長）が大きいほど直進筒３は倒れにくくなる。
【００３４】
従来のレンズ鏡筒では、１群レンズＬ１の繰出し方法として、固定筒の外周に直進筒を嵌合させるだけの構造を有していた。このため嵌合長としては、直進筒の像面側の嵌合面３ｃと固定筒１の物体側先端１ｇとで嵌合するのが最も嵌合長を確保できる設定となっていた。図１３において、従来構成における嵌合長は距離Ｓ０として示されている。固定筒１の物体側先端１ｇの位置は、１群レンズＬ１の位置により制限されるため、嵌合長も制限されてしまう。また、物体側に繰出すに従って、嵌合長は小さくなるため、特に望遠系のズームレンズでは、倒れがより光学性能に影響するテレ側において、より倒れやすくなってしまう。一方、本実施形態のレンズ鏡筒１００では、嵌合部間の距離Ｓ１（嵌合長）は、従来構成における距離Ｓ０よりも大きく確保することができる。また、ズーミングの際のレンズ繰出しによって距離Ｓ１は変わらないため、いずれのズーム位置においても直進筒３の倒れを良好に防止し、高い光学性能が得られる。
【００３５】
本実施形態のレンズ鏡筒１００は、広角系のズームレンズである。このため、１群レンズＬ１の外径は大きく、その重量も重い。より広角側の焦点距離になるに従い、より広い画角の光線を入射させるために１群レンズＬ１の外径を大きくする必要がある。またそれに伴い、重量も重くなる傾向がある。レンズ鏡筒１００は、１群レンズＬ１の最外径よりも外側において嵌合する調整筒２０を配置することにより、１群レンズＬ１の倒れを低減することができる。また、１群レンズＬ１の光軸方向における移動範囲の全体にわたり、嵌合面３ｄと１群レンズＬ１との相対位置は変化しない。このため、レンズ鏡筒１００の外径は多少大きくなるが、１群レンズＬ１の移動範囲の全域において、重量の重い１群レンズＬ１の重心に近い部分を支持することができる。従って、１群レンズＬ１（直進筒３）の倒れを効果的に低減し、良好な光学性能を実現することができる。
【００３６】
以上のように、１群レンズＬ１を直進駆動する場合、直進筒３と固定筒１との嵌合長をより長く確保することにより、ガタつきや自重による１群レンズＬ１の倒れを低減することができる。本実施形態では、像面側の嵌合面３ｃは固定筒１と摺動させるとともに、物体側の嵌合面３ｄを調整筒２０（支持筒）の内径と摺動させる。調整筒２０を設けることにより、嵌合長を延ばすことができ、また、重量の重い１群レンズＬ１の重心近くに嵌合面３ｄを配置することができるため、より傾きにくい構造が実現可能となる。
【００３７】
次に、図１６を参照して、本実施形態におけるレンズ鏡筒１００を備えた光学機器について説明する。図１６は、本実施形態における光学機器としての撮像装置２００（一眼レフカメラ）の構成図である。
【００３８】
レンズ鏡筒１００（交換レンズ）は、１群レンズＬ１、２群レンズＬ２、および、３群レンズＬ３を含む撮像光学系１１０（光学系）を有する。２２０はカメラ本体（撮像装置本体）である。カメラ本体２２０は、クイックリターンミラー２０３、焦点板２０４、ペンタダハプリズム２０５、および、接眼レンズ２０６などを備えて構成されている。クイックリターンミラー２０３は、撮像光学系１１０を介して形成された光束を上方に反射する。焦点板２０４は、撮像光学系１１０の像形成位置に配置されている。ペンタダハプリズム２０５は、焦点板２０４に形成された逆像を正立像に変換する。ユーザは、その正立像を、接眼レンズ２０６を介して観察することができる。２０７は感光面であり、感光面２０７には、像を受光するＣＣＤセンサやＣＭＯＳセンサなどの光電変換素子（撮像素子）や銀塩フィルムが配置される。撮影時には、クイックリターンミラー２０３が光路から退避して、撮像光学系１１０により感光面２０７上に像（光学像）が形成される。このように撮像素子は、撮像光学系１１０により形成される光学像を光電変換して画像データを出力する。
【００３９】
本実施形態のレンズ鏡筒１００を一眼レフカメラなどの撮像装置２００に適用することにより、高い光学性能を有する光学機器を実現することができる。また、レンズ鏡筒１００は、カメラ本体２２０と着脱可能に構成された交換レンズであるが、本実施形態はレンズ鏡筒１００とカメラ本体２２０とが一体的に構成された撮像装置にも適用可能である。またレンズ鏡筒１００は、クイックリターンミラーのないミラーレスの一眼レフカメラ（ミラーレスカメラ）にも適用することができる。
【００４０】
このように、本実施形態のレンズ鏡筒１００は、固定筒１、レンズを保持するレンズ保持枠（１群鏡筒４）、レンズ保持枠を保持して直進移動可能な直進筒３、および、固定筒に固定され、かつ直進筒を支持する支持筒（調整筒２０）を有する。好ましくは、直進筒は、固定筒に嵌合する第１の嵌合部（嵌合面３ｃ）、および、支持筒に嵌合する第２の嵌合部（嵌合面３ｄ）を有する。
【００４１】
好ましくは、第２の嵌合部は、固定筒１の物体側先端１ｇよりも物体側に位置している。より好ましくは、直進筒は、ズーミングまたはフォーカシングの際に直進移動し、ズーミングまたはフォーカシングの際に、第１の嵌合部と第２の嵌合部との間の距離Ｓ１（嵌合長）は一定である。より好ましくは、固定筒は、直進筒と径嵌合して直進筒を直進移動可能に支持する第１の摺動面（摺動面１ｂ）を有し、支持筒は、直進筒と径嵌合して直進筒を直進移動可能に支持する第２の摺動面（摺動面２０ｄ）を有する。このとき、直進筒の第１の嵌合部は、固定筒の第１の摺動面に嵌合し、直進筒の第２の嵌合部は、支持筒の第２の摺動面に嵌合している。
【００４２】
好ましくは、固定筒は、第１の当接面（当接面１ｆ）を有し、支持筒は、第２の当接面（固定面２０ａ）を有する。このとき支持筒は、第１の当接面と第２の当接面とを当接して、ビス（２０ｂ、２０ｃ）を用いて固定筒に固定されている。より好ましくは、支持筒を固定筒に取り付ける際に、第１の当接面と第２の当接面とを摺動させて固定筒に対して支持筒を（光軸ＯＡと略直交方向に）移動させることにより、固定筒に対する直進筒の傾きを変更可能である（傾き調整構造を有する）。
【００４３】
好ましくは、レンズ保持枠により保持されるレンズは、最も物体側に位置するレンズ群（第１群レンズＬ１）である。また好ましくは、支持筒の内径はレンズの最外径よりも大きく、直進筒は支持筒の内面において支持されている。
【００４４】
本実施形態によれば、直進筒（移動群）の前後２か所の嵌合面（嵌合部）の距離（嵌合長）をより長く確保することができるため、作動のための適正な隙間を確保しつつ、直進筒（１群レンズ）の倒れをより小さくすることができる。また、直進筒の前後２か所の嵌合面を別の部材（固定筒、調整筒）で支持する構成として、光軸と直交する方向に相対的に偏心させることにより、加工精度により直進筒の傾きがばらついても、高精度に光学調整を行うことができる。また、直進筒の嵌合面を１群レンズの外径よりも大きい位置に設け、調整筒により１群レンズの周囲（重量の大きい１群レンズの重心近く）を支持することにより、直進筒の傾きをより低減することができる。従って本実施形態によれば、直進筒の倒れを低減して光学性能を向上させたレンズ鏡筒、光学機器、および、撮像装置を提供することができる。
【００４５】
以上、本発明の好ましい実施例について説明したが、本発明はこれらの実施例に限定されず、その要旨の範囲内で種々の変形及び変更が可能である。
【００４６】
各実施例のレンズ鏡筒は、静止画および動画撮影を行うズームレンズ（撮像装置に用いられるレンズ鏡筒）であるとして説明したが、これに限定されるものではない。各実施例は、プロジェクタの投射レンズや複写機の光学系など、ズーム機構やフォーカス機構で移動可能なレンズ枠を有するレンズ鏡筒（撮像装置以外の光学機器に用いられるレンズ鏡筒）にも適用可能である。
【符号の説明】
【００４７】
１      固定筒
３      直進筒
４      １群鏡筒（レンズ保持枠）
２０    調整筒（支持筒）
１００  レンズ鏡筒
【図６】
2016130763.tif 000003
【図１６】
2016130763.tif 000004
【図１】
2016130763.tif 000005
【図２】
2016130763.tif 000006
【図３】
2016130763.tif 000007
【図４】
2016130763.tif 000008
【図５】
2016130763.tif 000009
【図７】
2016130763.tif 000010
【図８】
2016130763.tif 000011
【図９】
2016130763.tif 000012
【図１０】
2016130763.tif 000013
【図１１】
2016130763.tif 000014
【図１２】
2016130763.tif 000015
【図１３】
2016130763.tif 000016
【図１４】
2016130763.tif 000017
【図１５】
2016130763.tif 000018